(57)【特許請求の範囲】
【請求項１】
気管内チューブを固定して受け入れるフェースプレートアセンブリを有する気管内チューブホルダにおいて、前記フェースプレートアセンブリは、
気管内チューブを貫通して受け入れる開口端と、気管内チューブが固定して配置されるノッチで形成された閉鎖端とを含むように形成された溝を有し、患者の口の上に設置される細長いフェースプレートと、
チューブ接近口と、チューブを固定して受け入れるチューブ保持ノッチとを有し、前記溝の上に重ねられ、前記チューブ保持ノッチと前記溝のノッチとは互いに一致し、前記フェースプレートの外表面に一体に装着されたチューブ保持ブロックと、
チューブ受入れノッチを有し、前記フェースプレートの内面に一体に固着されたバイトブロックと、
前記チューブ保持ブロックに操作可能に装着され、前記チューブ保持ノッチに配置されたチューブに係合して固定する固定手段と、
前記フェースプレートを患者の口の上に配置するために、前記フェースプレートアセンブリを調整可能に取り付ける取付け手段と、
からなる気管内チューブホルダ。
【請求項２】
前記フェースプレート、前記チューブ保持ブロック、及び前記バイトブロックのそれぞれのノッチは、１点に収束する一対の平坦面で定義される略Ｖ字形を有するように形成されている請求項１に記載の気管内チューブホルダ。
【請求項３】
前記チューブ保持ブロックの前記固定手段は、前記保持ブロックの前記ノッチに配置された前記チューブに強固に係合するように装着されたつまみねじからなる請求項２に記載の気管内チューブホルダ。
【請求項４】
前記フェースプレートはその両端近傍に配置された一対の垂直なスロットを有し、前記調整可能な取付け手段は一対の対向して配置された固定ストリップを有するヘッドバンドからなり、該固定ストリップは前記フェースプレートの各垂直スロットを挿通して装着されている請求項３に記載の気管内チューブホルダ。
【請求項５】
前記バイトブロックのノッチは、当該ノッチの頂点において互いに接合され、かつ、外方の先端に向かって分かれている一対の傾斜壁で形成されている請求項１に記載の気管内チューブホルダ。
【請求項６】
前記バイトブロックはさらに、前記各傾斜壁の先端に接続された水平に配置された壁を有する請求項５に記載の気管内チューブホルダ。
【請求項７】
前記バイトブロックの水平壁は、患者の歯及び顎の運動によって発生する圧力に応じて内方に撓むように配置されている請求項６に記載の気管内チューブホルダ。
【請求項８】
前記フェースプレート、前記チューブ保持ブロック、及び前記バイトブロックの前記ノッチの各々は、１点に収束する一対の平坦面で定義される略Ｖ字形を有するように形成されている請求項７に記載の気管内チューブホルダ。
【請求項９】
前記チューブ保持ブロックの前記固定手段は、前記保持ブロックの前記ノッチに配置された前記チューブに強固に係合するように装着されたつまみねじからなる請求項７に記載の気管内チューブホルダ。
【請求項１０】
前記フェースプレートはその両端近傍に配置された一対の垂直なスロットを有し、前記調整可能な取付け手段は一対の対向して配置された固定ストリップを有するヘッドバンドからなり、該固定ストリップは前記フェースプレートの各垂直スロットを挿通して装着されている請求項９に記載の気管内チューブホルダ。
【請求項１１】
前記ヘッドバンドは、両端が前記固定ストリップの端部に取り付けられた弾性中間ストリップを有する請求項10に記載の気管内チューブホルダ。
【請求項１２】
前記固定ストリップは、フック部材からなる第１部分とループ部材からなる第２部分とで形成され、前記第１部分及び第２部分は互いに取外し可能になっている請求項11に記載の気管内チューブホルダ。
【請求項１３】
前記チューブ保持ブロックは、前記つまみねじを貫通して受け入れるためにねじ穴が形成された第１垂直壁と、該第１垂直壁に対向して配置され中間水平壁によって接続された第２垂直壁とを有するように形成され、
前記第２垂直壁は、１点に収束する一対の部材で形成されて前記Ｖ字形ノッチを定義し、
前記第１垂直壁のねじ穴は前記第２垂直壁のＶ字形ノッチと一致している請求項12に記載の気管内チューブホルダ。
【請求項１４】
前記フェースプレートは、患者の口への種々の医療器具の自由な接近を許容するための接近口を有する請求項13に記載の気管内チューブホルダ。
【請求項１５】
前記ヘッドバンドは、両端が前記固定ストリップの端部に取り付けられた弾性中間ストリップを有し、
前記バイトブロックは、１点に収束する一対の傾斜壁で形成され、
該傾斜壁は、それらの先端から後方に延びる上方の水平可撓壁と下方の水平可撓壁とを有する請求項10に記載の気管内チューブホルダ。
【請求項１６】
前記ヘッドバンドは、取付け手段を有する細長いガイド手段を有し、これにより前記ガイド手段は前記ヘッドバンドに取外し可能に取り付けられ、患者を動かす必要なく患者の頭又は首の回りにヘッドバンドを配置する請求項15に記載の気管内チューブホルダ。
【請求項１７】
前記ガイド手段はほぼ平坦で半剛体である請求項16に記載の気管内チューブホルダ。
【請求項１８】
患者に塞がれていない空気通路を与えるために、気管内チューブを固定して受け入れるフェースプレートアセンブリを有する気管内チューブホルダの組み合わせにおいて、改良は、
気管内チューブを貫通して受け入れるチューブ接近開口端と、気管内チューブが固定して配置されるＶ字形のノッチで形成された閉鎖端とを含むように形成された略Ｌ字形の溝を有し、患者の口の上に設置される細長いアーチ形のフェースプレートと、
チューブ接近口と、チューブを固定して受け入れるチューブ保持Ｖ字形ノッチとを有し、前記溝の上に重ねられ、前記チューブ保持Ｖ字形ノッチと前記溝のＶ字形ノッチとは互いに一致し、前記フェースプレートの外表面に一体に装着されたチューブ保持ブロックと、
Ｖ字形のノッチを有し、前記フェースプレートの内面に一体に固着され、患者の歯と係合するように配置されるとともに患者の歯の圧力で撓むように配置された水平に配置された一対の壁を有するバイトブロックと、
前記チューブ保持ブロックに操作可能に装着され、前記チューブ保持ブロックのＶ字形ノッチに配置されたチューブに係合して固定する固定手段と、
前記フェースプレートを患者の口の上に配置するために、前記フェースプレートの装着された調整可能な取付け手段と、
からなる気管内チューブホルダの組み合わせ。
【請求項１９】
前記バイトブロックはさらに一対の傾斜壁を有し、該傾斜壁はそれらの内方端部で接合されてノッチの頂点を形成するとともに、それらの外方端部で水平の配置された壁に接続されている請求項18に記載の組み合わせ。
【請求項２０】
前記チューブ保持ブロックの前記固定手段は、前記保持ブロックのＶ字形ノッチの中の気管内チューブに強固に係合するように操作可能に装着されたつまみねじからなる請求項18に記載の組み合わせ。
【請求項２１】
前記チューブ保持ブロックは、前記つまみねじを貫通して受け入れるためにねじ穴が形成された第１垂直壁と、該第１垂直壁に対向して配置され中間水平壁によって接続された第２垂直壁とを有するように形成され、
前記第２垂直壁は、１点に収束する一対の部材で形成されて前記Ｖ字形ノッチを定義し、
前記第１垂直壁のねじ穴は前記第２垂直壁のＶ字形ノッチと一致している請求項18に記載の組み合わせ。
【請求項２２】
前記ヘッドバンドは、取付け手段を有する細長いガイド手段を有し、これにより前記ガイド手段は前記ヘッドバンドに取外し可能に取り付けられ、患者を動かす必要なく患者の頭又は首の回りにヘッドバンドを配置する請求項18に記載の組み合わせ。
【請求項２３】
妨げられない空気通路を患者に与える気管内チューブ保持アセンブリにおいて、
患者の口の上に設置されるように形成されたフェースプレートと、
前記フェースプレートに形成され、気管内チューブを受け入れる開口端と、気管内チューブが配置されるノッチで形成された閉鎖端とによって形成されたチューブ受け入れ溝と、
前記フェースプレートの外表面に一体に装着され、チューブ受入れ口と、前記溝のノッチが形成された閉鎖端に重なるノッチとが形成されたチューブ保持ブロックと、
前記チューブ保持ブロックに操作可能に装着され、前記チューブ保持ブロックのノッチの中の気管内チューブに係合して固定する固定手段と、
前記フェースプレートの背面に装着され、前記溝と前記チューブ保持ブロックのノッチに対応するノッチが形成され、１点に合流する一対の傾斜壁によって形成されたバイトブロックと、
前記フェースプレートの両端に調整可能に接続され、前記気管内チューブ保持アセンブリを患者の頭に調整可能に取り付ける取り付け手段と、
からなる気管内チューブ保持アセンブリ。
【請求項２４】
前記合流する傾斜壁は、対向して配置された水平な可撓壁を有し、該可撓壁は患者の歯で噛まれるように配置された請求項23に記載の気管内チューブ保持アセンブリ。
【請求項２５】
患者の頭に前記気管内チューブ保持アセンブリを調整可能に取り付ける手段は、伸縮可能な中間部材を有し、該中間部材は弾性布からなるストリップと一対の係合ストリップとによって定義され、該係合ストリップはフック部分とループ部分を有し、前記係合ストリップは前記伸縮可能な中間部分の両端に取り付けられるとともに、前記フェースプレートのスロットに配置されている請求項24に記載の気管内チューブ保持アセンブリ。
【請求項２６】
前記ヘッドバンドに取り外し可能に取り付けられた半剛体ガイド手段をさらに含む請求項25に記載の気管内チューブ保持アセンブリ。
【発明の詳細な説明】
発明の背景
関連出願
この出願は1994年４月28日に出願された気管内チューブホルダのアメリカ特許出願の一部継続出願である。
技術分野
この出願は一般に気管内チューブ装置、さらに詳細には、改良されたＶ字形チューブ固定装置を有する気管内チューブホルダに関する。これにより、気管内チューブが患者の気管に挿入された後、その気管内チューブはチューブホルダの中で確実な（positive）固定状態に保持され、この結果、当該気管内チューブは強固に装着され、チューブが適切に気管内に位置した後の当該チューブの不慮の移動が防止される。
背景技術
気管内チューブ装置は、麻酔中や、病院での重要な看護中だけでなく患者の輸送中においても、患者を呼吸させたり、蘇生させたりするような幾つかの条件の下で使用される。
フェースプレートアセンブリ（face  plate  assembly）のマウスピースの一部であるチューブ保持装置に気管内チューブを簡単かつ確実な状態で固定するための適切な手段を提供する場合に、幾つかの問題や困難に出合うことは当業者によく知られている。
従来、多くの型式の固定装置が試みられ、その中には患者の顔面の幾つかの部分に粘着テープでチューブを簡単に取り付けることも含まれている。ある気管内チューブは、バイトブロック（bite  block）を有するフェースプレートに装着され、これにより患者は歯でバイトブロックを噛んで保持することを要求される。しかしながら、他の従来のチューブホルダは、フェースプレートに気管内チューブを固定するロック手段を含んでいる。
従来の気管内チューブの典型的な例として、次のアメリカ特許に記載されたものを参照することができる。
Ａ・Ｂ・ポッターらに与えられたアメリカ特許第4,867,154号、
Ｂ・ウェインステインに与えられたアメリカ特許第4,832,019号、
Ｇ・Ｅ・マックギニスに与えられたアメリカ特許第4,744,358号、
Ｂ・Ｒ・フォスターに与えられたアメリカ特許第4,537,192号、
Ｄ・Ｌ・ヒントンに与えられたアメリカ特許第4,449,527号、
Ｊ・ネスターらに与えられたアメリカ特許第4,249,529号。
発明の概要
本発明は、患者の鼻より下方で顎より上方の口の領域に合うように適合されたフェースプレートと、患者の唇の領域を覆うように配置された長手方向に延びる両片とを備えた気管内チューブホルダを定義している。調整可能なヘッドストラップがフェースプレートの自由端の近傍に配設されたスロット開口に取り付けられている。
フェースプレートは気管内チューブを受け入れる開口端を有する略逆Ｌ字形の溝を有し、気管内チューブは溝の内方に延設されたＶ字形部分に配置される。バイトブロックを定義するマウスピースはフェースプレートの内側に強固に固定されている。バイトブロックはさらに前記溝のＶ字形ノッチと対応するＶ字形ノッチを備えている。
フェースプレートの外側にはチューブ固定手段として確実な（positive）チューブ保持ブロックアセンブリが設けられ、該チューブ保持ブロックアセンブリはＬ字形溝とフェースプレートのＶ字形ノッチに対応するＶ字形凹部とを有している。これにより、チューブホルダを装着するのに先立って、まず最初に気管内チューブを患者の口及び喉に配置することができる。チューブホルダを気管内チューブの上に配置した後、チューブ保持ブロックアセンブリの一側に装着されたつまみねじのような固定手段を調整してチューブに係合させる。これにより、チューブはチューブ保持ブロックアセンブリに形成されたＶ部分にロック状態に強固に押し込められる。
このように、本発明は重要な目的を達成するための装置を有しており、その装置において、気管内チューブホルダのフェースホルダは気管内チューブの確実な保持手段を有し、該保持手段はチューブ受入れ溝を備えた一体のチューブ保持ブロックアセンブリからなり、前記溝の閉鎖端はＶ字形ノッチで形成され、該Ｖ字形ノッチの中に調整可能なつまみねじによってチューブが強固に係合する。この新規なチューブ保持ブロックアセンブリにより、気管内チューブが患者の気管に適切に配置された後で当該気管内チューブが長手方向に移動するのが防止されるとともに、回転方向の移動も防止される。
本発明の他の目的は、多くの異なる種類のチューブを収容するとともに、選択されたチューブを強固にその場所にロックする気管内チューブホルダを提供することにある。
本発明のさらに他の目的は、一体のバイトブロックを備えた気管内チューブホルダを提供することにあり、当該バイトブロックはチューブを挿通して受け入れるＶ字形ノッチを有し、この結果患者の口の中でのチューブの位置決めをさらに助勢する。
本発明のさらに他の目的は、気管内チューブの位置と干渉することなく患者の口の内部に接近できる気管内チューブホルダを提供することにある。
本発明のさらに他の目的は、ベルクロ（登録商標）や他の適当な固着材料によってフェースプレートの両端に調整可能に取り付けられるように配置された調整可能なヘッドバンドを有することを特徴とするチューブホルダを提供することにある。
本発明のさらに他の目的は、製造が簡単で製造コストが比較的安価であることを特徴とするチューブホルダを提供することにある。
本発明の特徴及び利点は、一実施例を示す添付図面を参照してさらに十分に説明される。この実施例を考慮すると、当業者は開示された原理から逸脱することなく変形することができる。出願人は請求の範囲内での構造や、配置、作用状態の利用を予想している。
【図面の簡単な説明】
上記目的に照らし、本発明は、添付図面及び符号を付された部品を参照して以下の説明を読むとさらに深く理解できるように、複数の部品とその組み合わせからなっている。
図１は、患者によって着用され動作状態に装着された本発明の気管内チューブホルダの絵画的斜視図である。
図２は、チューブ保持ブロックアセンブリと、気管内チューブが装着され後方に配置されたバイトブロックとの間の相対位置を示す、フェースプレートの一部が破断された本発明の気管内チューブホルダの平面図、
図３は、図２の正面図、
図４は、ヘッドバンドが除去された図３の背面図、
図５は、可撓性のバイティングプレートで形成されたバイトブロックを含むフェースプレートアセンブリの第２実施例の背面図、
図６は、ヘッドバンドが除去された背面図、
図７は、ヘッドバンドガイドの斜視図、
図８は、フェースプレートアセンブリと、ヘッドバンドを患者の頭又は首にガイドして位置決めするためにヘッドバンドに取り付けられたヘッドバンドガイドとの平面図、
図９は、ヘッドバンドが患者の頭に位置決めされたフェースプレートアセンブリの平面図、
図10は、調整可能な相互接続タブ部材により細長いヘッドバンドが患者の頭の回りに取り付けられ固定された、図９と同様の平面図、
図11は、ヘッドバンドの調整可能な固定手段をなす２面固定パッドの斜視図である。
好ましい実施例の説明
図１を参照すると、本発明の１つの実施例が示されている。それは符号10で全体的に示された気管内チューブホルダ装置であり、患者12によって着用された状態に図示されている。
気管内チューブホルダ装置10は符号14で全体的に示されたフェースプレートアセンブリを有し、該フェースプレートアセンブリ14は以下にさらに詳細に説明するように調整可能な取付け手段18によって患者の頭16に固定されている。フェースプレートアセンブリ14は適当な熱可塑性材料で形成された細長いアーチ形のフェースプレート20からなり、該フェースプレート20は調整可能な取付け手段18によって口を直接覆うように患者の顔面に配置されるように形成されている。フェースプレート20を形成する材料は患者の顔面の輪郭にフィットするのに十分な可撓性を有していなければならない。フェースプレート２０には略逆Ｌ字形状を有する溝22が形成され、該溝22は気管内チューブ２４を受け入れる開口端23と気管内チューブ24が固定される閉鎖端25とを有する。
気管内チューブ24は気管に適切に挿入されるように一般に患者の口の中に配置される。気管内チューブ24は一旦口の中に適切に配置されると、長手方向に移動したり、回転することが許されてはならない。これは、気管内チューブ24の上にフェースプレートアセンブリ14を装着し、溝22の開口端23を位置決めして気管内チューブ24を受け入れ、これにより略Ｖ字形のノッチ26として形成された溝22の閉鎖端25に気管内チューブ24をさらに位置決めすることにより、容易に達成される。
気管内チューブ24の確実な固定手段を提供するために、符号30で示すチューブ保持ブロックアセンブリがフェースプレート20の外表面に一体的に装着され、該チューブ保持ブロックアセンブリ30は好ましくはポリエチレンのような適切な材料から形成された保持ブロック部材32からなり、該保持ブロック部材32は、図１、２、及び３に示すように、フェースプレート20に一体的に成形されている。
保持ブロック部材32は、フェースプレート20の溝22の周囲のほぼ上に重なるような形状を有している。したがって、保持ブロック部材32の形状は、垂直壁34と、該垂直壁と一体の水平壁35とからなっている。水平壁35は、外方に延びて、図１、２、３に示すように、如何なるサイズの気管内チューブ24をも受け入れるように一点に収束する一対の壁部材36と37からなる略Ｖ字形状の固定ノッチ33を形成している。
垂直壁34はねじ穴38を有し、該ねじ穴38にはつまみねじ40が貫通して螺着されている。当該つまみねじ40もまた適切なプラスチック材料で形成されているのが好ましい。符号42で示され両面粘着テープからなる追加の保持手段が、Ｖ字形ノッチ33の内面に固定され、つまみねじ40を気管内チューブ24に締め付ける前に気管内チューブ24と係合するようになっている。両面粘着テープは、つまみねじ40が締め付けられる間に気管内チューブ24を保持するだけでなく、つまみねじ40と協働して、気管内チューブ24が患者の口及び気管に正しく配置されたときに当該気管内チューブ24に偶発的に作用するかも知れない長手方向及び回転方向の移動を防止する。
さらに、バイトブロック45が設けられ、該バイトブロック45はほぼ矩形形状を有し、フェースプレート20の背面に一体に取り付けられている。バイトブロック45は強固であるが幾分柔らかいプラスチック材料から形成され、患者の口に快適に配置され、そこに挿入された気管内チューブ24に影響を与えることなく歯でしっかりと噛むことができるように構成されている。
１点に収束する傾斜面によって形成されたＶ字形のノッチ46がバイトブロック45の一側面に形成され、該Ｖ字形ノッチ46は前記溝22と前記チューブ保持ブロックアセンブリ30のそれぞれのＶ字形ノッチ26と33の両方に一致する。
前述した調整可能な取付け手段18はヘッドバンドからなり、該ヘッドバンドは、患者が当該ヘッドバンドを簡単に取り外すのを防止するために、限定された伸縮能力を有する弾性布からなるストリップ52によって定義された伸縮可能な中間部を有している。中間弾性ストリップ52の両端はベルクロ（登録商標）のような材料からなる係合ストリップ53を有している。この係合ストリップ53はフック部を有する第１部分54とループ部を有する第２部分56とからなり、それらは互いに固着されている。
互いに反対側に配置された各フックストリップ54はフェースプレート20に形成されたスロット58に挿入されている。各フック部54はスロット58の回りで輪に形成され、ループストリップ56に調整可能に接続されている。
したがって、ヘッドバンドの両端は調整可能であるから、気管内チューブホルダ装置10は図１に示すように患者の口の上に適切に配置することができる。もし望まれるなら、ヘッドバンド全体を、少なくとも１端に適当なベルクロを備えた限定された伸縮能力を有する伸縮可能な材料で形成してもよい。
フェースプレート20は接近口60を備えていることに注意すべきである。この接近口60により、必要に応じて、種々の医療器具を挿通して患者の口に挿入することができる。
図５から11を参照すると、代案としての気管内チューブホルダ装置10の実施例が図示されている。この装置もまた、符号62で全体的に示すフェースプレートアセンブリによって形成され、仮想線64によって示すように、調整可能な取付け手段65によって患者の頭又は首の回りに同様に装着されている。フェースプレートアセンブリ62は、第１実施例に示されたような適当な熱可塑性材料で形成され、前述したように患者の顔面に配置される細長いアーチ形のフェースプレート68からなっている。さらに、フェースプレートアセンブリ62は、フェースプレート68の内面に発泡パッド69を有し、患者に快適さを与えている。
フェースプレート部材62には略逆Ｌ字形の溝70が形成され、該溝70は開口端72と閉鎖端74を有し、当該閉鎖端74にはチューブ24が取り外し可能に固定される。
符号75で全体的に示すチューブ保持ブロックアセンブリは保持ブロック部材76を有し、該保持ブロック部材76は図８、９、10に示すようにフェースプレート部材62に一体に成形され、つまみねじ78を貫通して受け入れるように形成されている。前述したように、ねじ78は患者の口に挿入される適当な場所にチューブ24を固定する。
この実施例では、バイトブロック80はフェースプレート62の背面と保持ブロック部材76とに一体的に設けられている。バイトブロック80は適切なプラスチック材料から形成され、患者の口に快適に配置され、そこに挿入されたチューブに影響を与えることなく歯でしっかりと噛むことができるように構成されている。これは、バイトブロック80が１点に収束する一対の傾斜壁84と86によって形成されるＶ字形ノッチ82を有するように、バイトブロック80を形成することによって達成される。傾斜壁84と86の内方端部は図示するようにノッチの頂点で接合されている。傾斜壁84と86の外方端部すなわち先端部87はそれぞれ可撓性の水平壁88と90に接合され、該水平壁88と90は図示するように収束壁84と86の先端部より後方に延びている。これにより、図５に示すように患者の歯がそれぞれの水平壁88と90に係合すると、それらの壁は仮想線92で示すように互いに内方に撓む。
調整可能な取付け手段65はヘッドバンド又はネックバンド94からなり、それは第１部分と第２部分からなり、それらはベルクロ（登録商標）のようなフック材料からなる係合ストリップ95として定義されている。これらのフック材料からなるストリップ部は、ループ材料からなる細長い中間ストリップ部98の両端に固着されている。
しかしながら、種々の長さのループストリップ98が設けられてもよく、ここでその長さは患者の首のサイズに応じて13インチから23インチまで変化させることができる。
このようにしてヘッドバンドの両端は調整可能であり、これにより気管内チューブホルダ装置10は患者の口に適切に配置することができ、バンドは患者の頭又は首の回りに固定される。患者が仰向けになると、図８と９に示すように、ループ材料からなる小片106を有する薄く細長い半剛体ガイド部材104がフックストリップ96に取り付けられる。これにより、図９に示すように、患者を持ち上げたり動かすことなくストリップ98を患者の頭又は首の下に配置することができる。次に、ガイド部材104が取り外され、ループストリップ98がスロット102に挿通され、患者の首の回りにぴったりするように引っ張られてから固定される。ガイド部材104はポリプロピレンのような適当なプラスチック材料で形成されるのが好ましい。
中間ループストリップ98がスロット102に挿通された後で、当該中間ループストリップ98が長すぎるときがあるが、その場合は、ヘッドバンドに弛みを設けることなく、その先端のフック部分90をストリップ98のループ部分に固着することができない。したがって、長さが約２インチ程度のフックタブ部材108で定義されたオプションとしてのヘッドバンド調整手段が設けられている。フックタブ部材108の両面はフック材料で形成されている。ループストリップ98がぴったりするように引っ張られると、フックタブ部材108はスロット102の近傍に配置され、これにより図10に示すようにループストリップ98はフックタブ108の両側に固着され、この結果ヘッドバンドの弛みが排除される。
以上は本発明の原理を示すものと理解されるべきである。さらに、多くの修正や変形が当業者に簡単に引き起こされるので、本発明をここに図示され説明された構成及び作用に限定することは望ましくないし、したがって全ての適当な変形や均等物は訴えられ、クレームされた本発明の範囲に入るであろう。
【図１１】
0003641273.tif 000002
【図１】
0003641273.tif 000003
【図２】
0003641273.tif 000004
【図７】
0003641273.tif 000005
【図３】
0003641273.tif 000006
【図４】
0003641273.tif 000007
【図５】
0003641273.tif 000008
【図６】
0003641273.tif 000009
【図９】
0003641273.tif 000010
【図８】
0003641273.tif 000011
【図１０】
0003641273.tif 000012